(57)【要約】【課題】ディスクトレイを筺体外に突き出したり、筺体内に収納したりする動作に連動して開閉する蓋の機構であって、ディスクトレイと蓋が衝突することにより生じる摩耗や衝突音などを軽減する手段を有するディスク装置などを提供することを課題とする。【解決手段】ディスクトレイ出入動作に応じて駆動される駆動リンクと、前記駆動リンクと蓋を連結する伝達リンクを有し、駆動リンクがディスクトレイ出入動作に応じて駆動されると、伝達リンクが前記駆動により生じる力を蓋に伝達することで蓋の開閉を実現するディスク装置を提供する。【選択図】          図２
2009238348.tif 000002
【特許請求の範囲】
【請求項１】
ドライブユニットとドライブユニットを収納する筺体からなるディスク装置であって、
ドライブユニットは、
ディスクを載置するディスクトレイと
筺体外に突き出し又は筺体内に収納するディスクトレイ出入動作のためにディスクトレイを駆動するディスクトレイ駆動部と、
を有し、
筺体は、
ディスクトレイを筺体から出入するため開閉自在に構成された蓋と、
ディスクトレイ出入動作に応じてディスクトレイに駆動され前記蓋を開閉するリンクと、
を有するディスク装置。
【請求項２】
前記リンクは、
ディスクトレイによって直接的に駆動される駆動リンクと、
駆動リンクに連結され前記蓋を開閉する伝達リンクと、
からなる請求項１に記載のディスク装置。
【請求項３】
ディスクトレイ駆動部は、ディスクトレイ出入動作のスピードを制御する制御手段を有する請求項１又は２に記載のディスク装置。
【請求項４】
ディスクトレイ駆動部の制御手段は、
ディスクトレイ出入動作において、
ディスクトレイを筺体外に突き出す際には、リンクによって前記蓋が開くまでのスピードを前記蓋が開いた後のスピードより遅くし、
ディスクトレイを筺体内に収納する際には、リンクによって前記蓋が閉じ始めるまでのスピードを閉じ始めてからのスピードより速くするように制御をする
開閉時制御器を有する請求項３に記載のディスク装置。
【請求項５】
ディスクトレイ出入動作において、
ディスクトレイを筺体外に突き出す際に前記蓋が開き始めてから前記蓋が開くまでの間と、
ディスクトレイを筺体内に収納する際に前記蓋が閉じ始めてから前記蓋が閉じるまでの間の、
ディスクトレイ先端部の位置は常に筺体内にあるように構成されている請求項１から４のいずれか一に記載のディスク装置。
【発明の詳細な説明】
【技術分野】
【０００１】
本発明は、ＤＶＤやＣＤなどのディスクからデータを読み出したり、ディスクにデータを書き込んだりするディスク装置に関する。より詳しくは、ディスクを載置するためのディスクトレイを自動で装置内から突き出し、または、装置内に収納する機能を有し、前記動作に連動してディスクトレイの前面に位置する蓋が開閉するディスク装置に関する。
【背景技術】
【０００２】
ＤＶＤやＣＤなどのディスクからデータを読み出したり、ディスクにデータを書き込んだりするディスク装置であって、ディスクを載置するためのディスクトレイを有するものが広く普及している。このようなディスク装置は、ディスクを装置内の所定位置（データの読み書きを行うための位置）にセットするために、自動で装置の筺体外にディスクトレイを突き出し、自動でディスクトレイを筺体内に収納するよう構成されている。当該構成により、利用者は容易にディスクをディスク装置内の所定の位置にセットしたり、ディスク装置内からディスクを取り出したりすることが可能となっている。
【０００３】
ここで、前記のようなディスク装置の中には、ディスクトレイの前面に蓋を設け、ディスクトレイが筺体外に突き出されたり、筺体内に収納されたりする動きに応じて、蓋を開閉するものがある。当該蓋により、ディスク装置の外観のデザイン性を上げることができるほか、装置内部に塵埃が侵入するのを防止する効果などがある。ディスクトレイの動きに応じて蓋を開閉する機構としては、複数のギアを使用するなど様々な手段が考えられるが、現在は、シンプルで安価に実現できる以下のような手段が広く利用されている。
【０００４】
図１（ａ）〜（ｄ）は、ディスク装置の蓋の開閉機構の従来技術を説明するための概略図である。当該図は、図３のディスク装置の概念図に示す（Ｉ）の点線でディスク装置を垂直に切断した断面図である。図３のディスク装置においては、簡易的に蓋（０３０１）と筺体（０３０３）を示している。また、図１（ａ）〜（ｄ）は、蓋の開閉機構を説明するために、ディスク装置の筺体（０１０３）、蓋（０１０１）、ディスクトレイ（０１０２）など必要最小限の部品を簡易的に示したものである。図中、左側が、ディスク装置の前面になる。
【０００５】
まず、図１（ａ）に示すように、ディスクトレイ（０１０２）が筺体（０１０３）内に収納されている状態で、利用者がリモコンなどによりディスクトレイ（０１０２）を筺体（０１０３）外に突き出すよう操作すると、ディスクトレイ（０１０２）がディスク装置内に収納されたドライブユニットにより駆動され、筺体（０１０３）外に向かって移動する（図中、左方向に移動）。そして、ディスクトレイ（０１０２）が、図１（ｂ）に示すように、その前面（図中、左側）に位置する蓋（０１０１）に接した後もドライブユニットにより駆動され、筺体（０１０３）外に向かって移動し続けると、図１（ｃ）に示すように、蓋（０１０１）がディスクトレイ（０１０２）に押されて開き始める。この時、蓋（０１０１）は蓋回転軸（０１０４）を中心に回転移動する。そして、その後もディスクトレイ（０１０２）がドライブユニットにより駆動され、筺体（０１０３）外に向かって移動し続けると、図１（ｄ）に示すように、蓋（０１０１）は完全に開いてしまい、ディスクトレイ（０１０２）はディスクを載置可能な位置まで移動する。同様にして、ディスクトレイ（０１０２）を筺体内に収納する手段も実現されている。
【０００６】
このように、従来技術では、ドライブユニットにより駆動されるディスクトレイ（０１０２）を蓋（０１０１）と接触させ、ディスクトレイ（０１０２）が蓋（０１０１）に直接力を加えることで、蓋の開閉を実現している。すなわち、図１に示すような従来技術の場合、蓋（０１０１）を開閉するためには、ディスクトレイ（０１０２）が蓋（０１０１）と接することが必須の条件となる。かかる場合、ディスクトレイ（０１０２）の前記駆動により、蓋（０１０１）とディスクトレイ（０１０２）の接触部分が摩耗してしまうという不都合が生じる。また、ディスクトレイ（０１０２）が蓋（０１０１）と衝突した際に衝突音が生じ、利用者に不快な思いをさせてしまう恐れもある。近年は、利用者の待ち時間を短縮したスピーディーなディスクの出し入れを実現するため、ディスクトレイの前記出入動作のスピードを速くすることが望まれている。しかし、ディスクトレイの前記出入動作のスピードを速くすればするほど、前記問題は顕著になってしまう。
【０００７】
そこで、前記問題を解決するための手段として、特許文献１のような発明がなされている。特許文献１の発明は、ディスク装置の蓋の裏面の一部に、ディスクトレイと衝突する際の衝撃を吸収するためのアーチ部を設けたものである。当該アーチ部は蓋裏面の略中央部に、蓋の一部として一体成型されたものである。そして、アーチ状に構成することで、ディスクトレイが衝突した際の衝撃を吸収するよう構成されている。確かに、特許文献１の発明により、前記問題は多少改善されている。しかしその構成上、ディスクトレイの出入動作動のスピードを速くした際の衝撃は十分に吸収することはできず、前記問題を完全には解決できていない。また、近年はディスク装置の小型化に伴い、蓋自体を薄く剛性の高い材料で構成したり、外観の装飾などにより蓋を金属で構成したりする場合がある。このような場合、衝撃を吸収可能なアーチ部を蓋と一体成型することはできない。
【０００８】
なお、前記問題を解決する手段として、ディスクトレイが蓋に衝突するまでの出入動作のスピードを遅くし、衝突後のディスクトレイの出入動作のスピードを速くする手段も考えられるが、従来技術のディスク装置や特許文献１に記載のディスク装置の場合には、ディスクトレイ出入動作のスピードが変化する様子がディスク装置の外部から視認可能であり、当該ぎこちない動きを見た利用者が不快に感じる恐れがある。
【特許文献１】特開２００５−２９３６３２
【発明の開示】
【発明が解決しようとする課題】
【０００９】
そこで、本発明では、ディスクトレイを筺体外に突き出したり、筺体内に収納したりする動作（以下、「ディスクトレイ出入動作」という）に連動して開閉する蓋の機構であって、ディスクトレイと蓋が衝突することにより生じる部品の摩耗や衝突音などを軽減する手段を有するディスク装置を提供することを課題とする。また、蓋の材料などに影響されることなく前記を実現する手段を有するディスク装置を提供することを課題とする。さらには、ディスクトレイ出入動作のスピードを変化させることで前記課題を解決する具体的手段を有するディスク装置を提供することを課題とする。
【課題を解決するための手段】
【００１０】
上記課題を解決するための手段として、以下のような発明などを提供する。
【００１１】
ディスクトレイ出入動作に応じて駆動されるリンクを有し、当該リンクが蓋を開閉することで、蓋とディスクトレイの接触を不要にしたディスク装置を提供する。
【００１２】
また、ディスクトレイ出入動作に応じて駆動される駆動リンクと、前記駆動リンクと蓋を連結する伝達リンクを有し、駆動リンクがディスクトレイ出入動作に応じて駆動されると、伝達リンクが前記駆動により生じる力を蓋に伝達することで蓋の開閉を実現するディスク装置を提供する。
【００１３】
さらに、ディスクトレイ出入動作のスピードを制御可能に構成することで前記課題を解決し、かつ、ディスクトレイ出入動作のスピードが変化する時点に生じうるディスクトレイのぎこちない動きを利用者が視認できないように構成したディスク装置を提供する。
【００１４】
具体的には、以下の発明を提供する。
【００１５】
第一発明では、ドライブユニットとドライブユニットを収納する筺体からなるディスク装置であって、ドライブユニットは、ディスクを載置するディスクトレイと筺体外に突き出し又は筺体内に収納するディスクトレイ出入動作のためにディスクトレイを駆動するディスクトレイ駆動部を有し、筺体は、ディスクトレイを筺体から出入するため開閉自在に構成された蓋と、ディスクトレイ出入動作に応じてディスクトレイに駆動され前記蓋を開閉するリンクを有するディスク装置を提供する。
【００１６】
第二発明では、第一発明を基本とし、さらに、前記リンクは、ディスクトレイによって直接的に駆動される駆動リンクと、駆動リンクに連結され前記蓋を開閉する伝達リンクからなるディスク装置を提供する。
【００１７】
第三発明では、第一発明または第二発明を基本とし、さらに、ディスクトレイ駆動部は、ディスクトレイ出入動作のスピードを制御する制御手段を有するディスク装置を提供する。
【００１８】
第四発明では、第三発明を基本とし、さらに、ディスクトレイ駆動部の制御手段は、ディスクトレイ出入動作において、ディスクトレイを筺体外に突き出す際には、リンクによって前記蓋が開くまでのスピードを前記蓋が開いた後のスピードより遅くし、ディスクトレイを筺体内に収納する際には、リンクによって前記蓋が閉じ始めるまでのスピードを閉じ始めてからのスピードより速くするように制御をする開閉時制御器を有するディスク装置を提供する。
【００１９】
第五発明では、第一発明から第四発明のいずれか一を基本とし、さらに、ディスクトレイ出入動作において、ディスクトレイを筺体外に突き出す際に前記蓋が開き始めてから前記蓋が開くまでの間と、ディスクトレイを筺体内に収納する際に前記蓋が閉じ始めてから前記蓋が閉じるまでの間のディスクトレイ先端部の位置は常に筺体内にあるように構成されているディスク装置を提供する。
【発明の効果】
【００２０】
本発明のディスク装置により、ディスクトレイを筺体外に突き出したり、筺体内に収納したりするディスクトレイ出入動作に伴って、蓋やディスクトレイが摩耗するという不都合を軽減することができる。また、ディスクトレイ出入動作に伴い生じていた不快な衝突音などを軽減することができる。
【発明を実施するための最良の形態】
【００２１】
以下本発明を実施するための最良の形態について、図面を用いて詳細に説明する。なお、本発明はこれら実施の形態になんら限定されるものではなく、その要旨を逸脱しない範囲において種々なる態様で実施しうる。
【００２２】
なお、以下の実施形態と請求項の関係は次のとおりである。実施形態１は主として請求項１、２などについて説明する。実施形態２は主として請求項３、４、５などについて説明する。
<<実施形態１>>
<実施形態１の概要>
【００２３】
本実施形態のディスク装置は、ディスクトレイ出入動作に応じてディスク装置の蓋を開閉するためのリンクを有することを特徴とする。当該リンクにより、蓋を開閉するためにディスクトレイと蓋を接触させる必要がなくなり、部品の摩耗や、不快な衝突音を軽減することができる。
<実施形態１の機能的構成>
【００２４】
本実施形態のディスク装置は、図２（ａ）に示すように、「ドライブユニット」（０２０５）とドライブユニットを収納する「筺体」（０２０３）から構成される。図２（ａ）〜（ｄ）は、図３のディスク装置の概念図に示す（Ｉ）の点線でディスク装置を垂直に切断した断面図である。なお、図２（ａ）〜（ｄ）は、本実施形態の発明の機能を容易に理解可能にするため、必要な部品のみを抽出して簡易的に示したものである。すなわち、それらの形状は、本明細書において特別な言及がない限り、図面で示す形状に限定されるものではない。また、ディスク装置としての機能を実現するためのその他の部品（例：「ピックアップなどから構成される光学系メカニズム」など）を備えてもよい。以下、図２（ａ）〜（ｄ）を用いて、本実施形態のドライブユニット（０２０５）と筺体（０２０３）の機能的構成を詳細に説明する。
<ドライブユニット（０２０５）>
【００２５】
「ドライブユニット」（０２０５）は、「ディスクトレイ」（０２０２）と、「ディスクトレイ駆動部」（図示せず）を有する。「ディスクトレイ」は、ディスクを載置するよう構成されている。「ディスクトレイ駆動部」は、ディスクトレイを筺体外に突き出し、又は、筺体内に収納するようにディスクトレイを駆動するよう構成されている。具体的には、モータなどにより構成することができる。なお、本実施形態の「ディスクトレイ」、「ディスクトレイ駆動部」は従来技術により実現することができる。よって、ここでの詳細な説明は省略する。
<筺体（０２０３）>
【００２６】
「筺体」（０２０３）は、図２（ａ）〜（ｄ）に示すように、「蓋」（０２０１）と「リンク」（０２０６、０２０７）を有する。
<<蓋（０２０１）>>
【００２７】
「蓋」（０２０１）は、ディスクトレイ（０２０２）を筺体（０２０３）から出入するため開閉自在に構成されている。蓋を開閉する機構としては、蓋を上下左右にスライド移動させる機構や、蓋を観音開きする機構など様々な機構が考えられるが、本実施形態の蓋はいずれの開閉機構を有してもよい。しかし、本実施形態のディスク装置は、以下で説明する「リンク」を利用して、前記ディスクトレイ駆動部によるディスクトレイ出入動作のための駆動力を利用して、蓋の開閉を実現するよう構成されている。すなわち、本実施形態の蓋は、前記構成により実現可能な開閉機構を有する必要がある。
【００２８】
前記要件を満たす蓋としては、例えば、図２（ａ）〜（ｄ）に示すような開閉機構を備える蓋などが考えられる。図２（ａ）〜（ｄ）に示す蓋（０２０１）は、「蓋回転軸」（０２０４）を備え、蓋に加えられる力（図中、左向きの力）に応じて蓋回転軸（０２０４）を中心に回転移動することで開閉するよう構成されている。なお、蓋に加えられる力（図中、左向きの力）は、「リンク」（０２０６、０２０７）を利用して、ディスクトレイ駆動部によるディスクトレイ出入動作のための駆動力を利用したものである。その詳細については、以下で説明する。
<<リンク（０２０６、０２０７）>>
【００２９】
「リンク」は、ディスクトレイ出入動作に応じてディスクトレイに駆動され、蓋を開閉するよう構成されている。なお、リンクは単一の部品で構成されてもよいし、複数の部品で構成されてもよい。例えば、図２（ａ）〜（ｄ）に示すように、二つの部品でリンクを構成してもよい。図２（ａ）〜（ｄ）で示す「リンク」は、「駆動リンク」（０２０６）と「伝達リンク」（０２０７）により構成されている。
<<<駆動リンク>>>
<駆動リンクの構成例>
【００３０】
「駆動リンク」（０２０６）は、ディスクトレイ（０２０２）によって直接的に駆動されるよう構成されている。「ディスクトレイにより直接的に駆動される」とは、ディスクトレイと接し、ディスクトレイから直接力を加えられることにより駆動することを意味する。以下、図２（ａ）〜（ｄ）を用いて、駆動リンク（０２０６）の一例を説明する。駆動リンク（０２０６）の形状は特段制限されないが、図に示すように棒形状であってもよい。そして、一方の先端（以下、「接点側先端」という）をディスクトレイ（０２０２）の前面と接するように構成してもよい。かかる場合、ディスクトレイ（０２０２）がディスクトレイ駆動部に駆動されディスクトレイ出入動作を行った際、駆動リンク（０２０６）は前記接点を介して、ディスクトレイ（０２０２）より直接的に力を加えられ、駆動されることとなる。また、駆動リンク（０２０６）の他方の先端にはリンク回転軸（０２０８）を有してもよい。なお、図２（ａ）〜（ｄ）の断面概略図においては、リンク回転軸（０２０８）が固定されていないが、実際には、筺体の一部などに固定されている。すなわち、駆動リンク（０２０６）はリンク回転軸（０２０８）を中心に回転可能に構成されている。
<駆動リンクの動作例>
【００３１】
ここで、駆動リンク（０２０６）がディスクトレイ（０２０２）によって直接的に駆動される際の動作の一例を図２（ａ）〜（ｄ）を用いて説明する。図２（ａ）の状態からディスクトレイ駆動部により駆動され、ディスクトレイ（０２０２）が筺体外に突き出るよう動作すると（図中、左方向へ移動）、駆動リンク（０２０６）の接点側先端がディスクトレイ（０２０２）の前面により図中左方向の力を加えられる。その結果、駆動リンク（０２０６）は、リンク回転軸（０２０８）を中心に図中反時計回りに回転移動することとなる。
<<<伝達リンク>>>
<伝達リンクの構成例>
【００３２】
「伝達リンク」（０２０７）は、駆動リンク（０２０６）に連結され蓋（０２０１）を開閉するよう構成されている。以下、図２（ａ）〜（ｄ）を用いて、伝達リンク（０２０７）の一例を説明する。図に示すように、形状としては、棒形状であってもよい。そして、一方の先端を駆動リンク（０２０６）と連結され、他方の先端を蓋（０２０１）と連結されてもよい。なお、図２（ａ）〜（ｄ）の例では、伝達リンク（０２０７）は、駆動リンク（０２０６）との連結部分、および、蓋（０２０１）との連結部分、ともに、当該部分を軸に回転可能に構成されている。
<伝達リンクの動作例>
【００３３】
次に、伝達リンク（０２０７）の動作の一例を図２（ａ）〜（ｄ）を用いて説明する。図２（ａ）の状態からディスクトレイ駆動部により駆動され、ディスクトレイ（０２０２）が筺体外に突き出るよう動作すると（図中、左方向へ移動）、駆動リンク（０２０６）が、リンク回転軸（０２０８）を中心に図中反時計回りに回転移動する。すると、伝達リンク（０２０７）は、駆動リンク（０２０６）との連結部分を介して、駆動リンク（０２０６）より図中略左方向の力を加えられる。そして、伝達リンク（０２０７）は、前記駆動リンク（０２０７）より加えられた力を、蓋（０２０１）との連結部分を介して蓋（０２０１）に加えることとなる。
<実施形態１の処理の流れ>
<<蓋を開く処理>>
【００３４】
以下、図２（ａ）〜（ｄ）を用いて、本実施形態のディスク装置の蓋を開く処理の一例を説明する。以下は、「駆動リンク」と「伝達リンク」により「リンク」を構成した例を示す。
【００３５】
まず、図２（ａ）の状態から利用者がディスクトレイ（０２０２）を筺体（０２０３）外に突き出すよう操作すると、ディスクトレイ駆動部はモータ（図示せず）などを駆動し、ディスクトレイ（０２０２）を筺体外に突き出す方向（図中、左方向）に移動させる。すると、ディスクトレイの前記動作に伴い、ディスクトレイ（０２０２）の前面と一部（図中、先端部分）が接している駆動リンク（０２０６）が、前記接点を介して図中左方向の力を受ける。その結果、駆動リンク（０２０６）は、リンク回転軸（０２０８）を中心に、図中反時計回りに回転移動する。すると、駆動リンク（０２０６）と連結している伝達リンク（０２０７）が前記連結部分を介して、駆動リンク（０２０６）より、図中略左方向の力を受ける。その結果、伝達リンク（０２０７）は、図中略左方向に移動するとともに、蓋（０２０１）との連結部分を介して、蓋（０２０１）に略左方向の力を加える。その結果、図２（ｂ）に示すように、蓋（０２０１）は、蓋回転軸（０２０４）を中心に、図中反時計回りに回転移動し、蓋（０２０１）が開き始める。
【００３６】
その後も、ディスクトレイ駆動部によりディスクトレイ（０２０２）が図中左方向に移動し続けると、駆動リンク（０２０６）は図中反時計回りに回転移動を続ける。それに伴い、伝達リンク（０２０７）が図中略左方向に移動し続けた結果、蓋（０２０１）は図中反時計回りに回転移動し続け、蓋（０２０１）がさらに開いていく。
【００３７】
その後、さらに、ディスクトレイ駆動部によりディスクトレイ（０２０２）が図中左方向に移動し続け、図２（ｃ）に示す状態になると、駆動リンク（０２０６）の図中反時計回りの回転移動は止まる。そして、伝達リンク（０２０７）の、図中略左方向への移動も止まり、その結果、蓋（０２０１）の図中反時計回りの回転移動も止まって、蓋（０２０１）が開く動作が止まる。
【００３８】
そして、図２（ｄ）に示すように、その後もディスクトレイ駆動部によりディスクトレイ（０２０２）が図中左方向に移動し続けると、駆動リンク（０２０６）は、図２（ｃ）で示す図中反時計回りの回転移動が止まった時の状態を維持し続ける。そして、伝達リンク（０２０７）も図２（ｃ）の状態を維持し続け、その結果、蓋（０２０１）は開いたままの状態を維持し続ける。その後も、ディスクトレイ（０２０２）がディスクを載置または取り出し可能な状態まで移動し続ける間、駆動リンク（０２０６）と伝達リンク（０２０７）と蓋（０２０１）は、図２（ｃ）の状態を維持し続ける。
【００３９】
なお、駆動リンク（０２０６）には、図に示すように、図中反時計回りの回転移動により伸ばされるバネ（０２０９）が連結されている。すなわち、図２（ｂ）〜（ｄ）に示す状態においては、駆動リンク（０２０６）には、前記バネ（０２０９）の復元力により、リンク回転軸（０２０８）を中心に図中時計回りに回転移動するための力が加わっている。しかし、ディスクトレイ（０２０２）により前記回転移動は制限されている。
【００４０】
ここで、前記「駆動リンク」（０２０６）と「伝達リンク」（０２０７）は、一組のみ備えられてもよいし、二組以上を備えられもよい。また、その位置は、蓋（０２０１）の側端部に備えられてもよいし、中央付近に備えられてもよい。なお、ディスクトレイ（０２０１）の底面は、駆動リンク（０２０６）の、図中反時計回りの回転移動（バネの復元力によるもの）を制限するよう構成されているが、ディスクトレイ（０２０１）の底面には、載置されたディスクからデータを読み出したりするための開口空間を設けられているケースが多い。よって、前記「駆動リンク」と「伝達リンク」を中央付近に備える場合には、前記開口空間を避けた位置に備える必要がある。
【００４１】
また、バネ（０２０９）を駆動リンンク（０２０６）に連結される手段は図に示すものに限定されるものではない。本実施形態のバネ（０２０９）の役目は、ディスクトレイ（０２０２）に駆動され図中反時計回りに回転移動した駆動リンク（０２０６）を、図中時計回りに回転移動させ元の状態に戻すことである。よって、前記役目を果たせる態様であれば、その他の手段により連結されてもよい。
<<蓋を閉じる処理>>
【００４２】
蓋を閉じる処理は、前記蓋を開く処理の流れを逆にして実現することができる。すなわち、図２（ｄ）の状態から利用者がディスクトレイ（０２０２）を筺体（０２０３）内に収納するよう操作すると、ディスクトレイ駆動部はモータ（図示せず）などを駆動し、ディスクトレイ（０２０２）を筺体内に収納する方向（図中、右方向）に移動させる。そして、ディスクトレイ（０２０２）が図２（ｃ）の状態になった後は、駆動リンク（０２０６）はバネ（０２０９）の復元力により、リンク回転軸（０２０８）を中心に、図中時計回りに回転移動する。すると、前記駆動リンク（０２０６）の図中時計回りの回転移動に伴い、伝達リンク（０２０７）は、図中略右方向に移動し、蓋（０２０１）は、蓋回転軸（０２０４）を中心に、図中時計回りに回転移動する。このようにして、蓋（０２０１）は閉まり、図２（ａ）の状態に戻る。
<実施形態１の効果>
【００４３】
本実施形態のディスク装置は、ディスクトレイを筺体から出入するために蓋を開閉する動作において、従来技術のように蓋とディスクトレイを接触させる必要がない。また、ディスクトレイの出入動作に応じて蓋を開閉する一連の動作において、前記動作を実現する複数の部品を予め連結または接触させておくことができるので、蓋を開閉する動作において部品どうしが衝突することがない。その結果、不快な衝突音が生じたり、部品の摩耗が生じたりする不都合を軽減できる。
<<実施形態２>>
<実施形態２の概要>
【００４４】
本実施形態のディスク装置は、実施形態１のディスク装置を基本とし、さらに、ディスクトレイを筺体から出入する一連の動作の途中で、ディスクトレイを出入するスピードを制御できるように構成している。そして、前記機能を利用して、ディスクトレイを出入する一連の動作に伴い、部品が摩耗したり、不快な衝突音が生じたりする不都合を軽減していることを特徴とする。
【００４５】
また、前記を実現するためディスクトレイ出入動作のスピードを制御した際に、ディスクトレイ出入動作のスピードの変化点がディスク装置の外部より視認しにくいように構成していることを特徴とする。
<実施形態２の機能的構成>
<<ディスクトレイ駆動部の制御手段>>
【００４６】
本実施形態のディスクトレイ駆動部は、ディスクトレイ出入動作のスピードを制御する「制御手段」を有するよう構成されている。「ディスクトレイ出入動作のスピードを制御する」とは、ディスクトレイを筺体外に突き出したり、筺体内に収納したりする動作のスピードを、速くしたり、遅くしたり調節することを意味する。制御手段は、ディスクトレイを筺体外に突き出したり、筺体内に収納したりする動作の途中においても、ディスクトレイ出入動作のスピードを制御することができるよう構成されている。前記を実現する手段としては、マイクロコントローラにより、モータの回転速度を制御することで実現してもよい。これらについては従来技術であるので、ここでの詳細な説明は省略する。
【００４７】
本実施形態のディスク装置は、前記制御手段を有することで、利用者のニーズに応えたディスクトレイ出入動作を実現することが可能となる。具体的には、例えば、ある利用者は、部品の摩耗や衝突音など全く気にせず、とにかくスピーディーにディスクの出入を行いたいと希望するかもしれない。かかる場合、利用者の操作により、ディスクトレイ出入動作のスピードを可能な限り速く設定することができる。また、ある利用者は、ディスクの出入のスピードはある程度のスピードで良いから、部品の摩耗や衝突音を可能な限り軽減したいと希望するかもしれない。かかる場合、利用者の操作により、ディスクトレイの出入動作のスピードを可能な限り遅く設定することができる。さらに、ある利用者は、ある程度の衝突音は我慢するので、可能な限りディスクの出入をスピーディーに行いたいと希望するかもしれない。かかる場合、利用者の操作により、ディスクトレイの出入動作のスピードを利用者の希望するスピードに設定することができる。本実施形態のディスク装置は、制御手段を有することにより、利用者の前記様々なリクエストに応えたディスクトレイ出入動作を実現することができる。
【００４８】
なお、ディスクトレイ駆動部の制御手段は、さらに、「開閉時制御器」を有してもよい。以下、「開閉時制御器」の詳細について説明する。
<<<ディスクトレイ駆動部の制御手段の開閉時制御器>>>
【００４９】
「開閉時制御器」は、ディスクトレイ出入動作において、ディスクトレイを筺体外に突き出す際には、リンクによって蓋が開くまでのスピードを蓋が開いた後のスピードより遅くするように制御するよう構成されている。また、ディスクトレイを筺体内に収納する際には、リンクによって蓋が閉じ始めるまでのスピードを閉じ始めてからのスピードより速くするように制御するよう構成されている。
<ディスクトレイを筺体外に突き出す際>
【００５０】
以下、図２を用いて、ディスクトレイを筺体外に突き出す際の開閉時制御器について説明する。「開閉時制御器」は、ディスクトレイ（０２０２）を筺体（０２０３）外に突き出す際には、リンク（０２０６、０２０７）によって蓋（０２０１）が開くまでのスピードを蓋（０２０１）が開いた後のスピードより遅くするように制御する。ここで、「蓋（０２０１）が開いた状態」とは、蓋（０２０１）が完全に開いてしまい、それ以上開かなくなった状態を意味する。すなわち、図２（ｃ）、（ｄ）に示す状態が「蓋が開いた状態」である。
【００５１】
よって、「蓋が開くまで」とは、図２（ａ）のように蓋（０２０１）が閉じた状態においてディスクトレイ（０２０２）を筺体（０２０３）外に突き出す動作を開始してから、図２（ｃ）のように蓋（０２０１）が開いた状態になった瞬間までの間を意味する。また、「蓋が開いた後」とは、図２（ｃ）のように蓋（０２０１）が開いた状態になった瞬間からディスクトレイ（０２０２）を筺体（０２０３）外に突き出す動作が止まるまでの間を意味する。
【００５２】
開閉時制御器は、図２（ａ）〜（ｃ）までの「蓋が開くまで」の間のディスクトレイ出入動作のスピードを、図２（ｃ）〜の「蓋が開いた後」のディスクトレイ出入動作のスピードより遅くする。すなわち、図２（ａ）〜（ｃ）までの間における蓋（０２０１）やリンク（０２０６、０２０７）などの複数の部品が連動して動いている間は、ディスクトレイ出入動作のスピードを遅くする。このように構成することで、前記連動した動作を実現している複数の部品に急激な力がかからないようにすることができ、部品の寿命を延ばすことができる。また、図２（ｃ）〜ディスクトレイ出入動作が止まるまでの間における、蓋（０２０１）やリンク（０２０６、０２０７）などの部品が静止した状態である間は、ディスクトレイ出入動作のスピードを速くする。このように構成することで、利用者がディスクトレイを筺体外に突き出すよう操作してから、突き出されたディスクトレイにディスクを載置したり取り出したりするまでの待ち時間を短縮することができる。なお、かかる間は、蓋（０２０１）やリンク（０２０６、０２０７）などの部品は静止した状態であるので、ディスクトレイ出入動作のスピードを速くしても、それらの部品に過度の負担がかかることはない。
<ディスクトレイを筺体内に収納する際>
【００５３】
以下、図２を用いて、ディスクトレイを筺体内に収納する際の開閉時制御器について説明する（ディスクトレイを筺体内に収納する動作は、図２（ｄ）→（ｃ）→（ｂ）→（ａ）の順にディスク装置を動作させることで実現することができる。）。「開閉時制御器」は、ディスクトレイ（０２０２）を筺体（０２０３）内に収納する際には、リンク（０２０６、０２０７）によって蓋（０２０１）が閉じ始めるまでのスピードを閉じ始めてからのスピードより速くするように制御する。
【００５４】
ここで、「蓋が閉じ始めるまで」とは、ディスクトレイ（０２０２）が筺体（０２０３）内に収納するよう移動（図中、右方向への移動）し始めてから、図２（ｃ）で示すように、開いた状態の蓋（０２０１）が閉じ始める瞬間（蓋回転軸（０２０４）を中心とした図中時計回りの回転移動を始める瞬間）までの間を意味する。また、「蓋が閉じ始めてから」とは、図２（ｃ）で示すように、開いた状態の蓋（０２０１）が閉じ始める瞬間から、ディスクトレイ（０２０２）を筺体（０２０３）内に収納する動作が止まるまで（図２（ａ））の間を意味する。
【００５５】
開閉時制御器は、ディスクトレイを筺体内に収納するよう動作を開始してから図２（ｃ）に示すまでの「蓋が閉じ始めるまで」の間のディスクトレイ出入動作のスピードを、図２（ｃ）〜（ａ）までの「蓋が閉じ始めてから」、蓋（０２０１）が完全に閉まりきるまでの間のディスクトレイ出入動作のスピードより速くする。このように構成することで、前記「ディスクトレイを筺体外に突き出す際」と同様の理由により、蓋（０２０１）やリンク（０２０６、０２０７）などの部品に過度の負担をかけることがなくなる。また、前記のように構成した場合、蓋（０２０１）が完全に閉まりきる状態（図２（ａ））になる際のスピードを遅くすることができる。蓋（０２０１）が完全に閉まりきる際には、蓋（０２０１）の外周部分は、筺体（０２０３）の一部と接触することになり、互いに力を及ぼしあう。かかる場合、接触部分が摩耗したり、また、接触により「パタン」、「カチャン」といったような音が生じたりしてしまう。しかし、本実施形態のように構成した場合、蓋の外周部分と筺体の一部が接触する際に及ぼしあう力を軽減することができ、これらの部分の摩耗を軽減することができる。また、蓋が閉まる際の「パタン」、「カチャン」というような音も軽減することができる。さらに、当該動作により高級感を演出することができる。
<<ディスクトレイの視認性の制御>>
【００５６】
ここで、ディスクトレイ駆動部の制御手段の開閉時制御器により、前記のような優れた効果が期待されるものの、ディスクトレイ出入動作の途中で、ディスクトレイの移動するスピードが変化している様子を利用者が見た場合、そのぎこちない動きにより不快に感じてしまう恐れがある。そこで、本実施形態のディスク装置は、前記を解決するため、ディスクトレイ出入動作において、ディスクトレイを筺体外に突き出す際に蓋が開き始めてから蓋が開くまでの間と、ディスクトレイを筺体内に収納する際に蓋が閉じ始めてから蓋が閉じるまでの間の、ディスクトレイ先端部の位置は常に筺体内にあるように構成されてもよい。「ディスクトレイの先端部」（０２０２（Ａ））とは、図２（ａ）〜（ｄ）に示すように、ディスクトレイ（０２０２）を筺体（０２０３）外に突き出す動作において、一番初めに筺体外に出る部分である。
【００５７】
ここで、ディスクトレイ出入動作において、ディスクトレイを筺体外に突き出す際に「蓋が開き始めてから蓋が開くまでの間」とは、図２（ａ）のように蓋（０２０１）が閉じた状態においてディスクトレイ（０２０２）を筺体（０２０３）外に突き出す動作を開始してから、図２（ｃ）のように蓋（０２０１）が開いた状態になるまでの間を意味する。なお、この間は、開閉時制御器がディスクトレイ出入動作のスピードを遅くする間と一致する。すなわち、この間の直後に、ディスクトレイ出入動作のスピードを変化させて速くする。
【００５８】
また、ディスクトレイを筺体内に収納する際に「蓋が閉じ始めてから蓋が閉じるまでの間」とは、図２（ｄ）→（ｃ）→（ｂ）→（ａ）の順にディスク装置を動作させた際に、図２（ｃ）で示すように、開いた状態の蓋（０２０１）が閉じ始める瞬間から、ディスクトレイ（０２０２）を筺体（０２０３）内に収納する動作が止まるまで（図２（ａ））の間を意味する。この間は、開閉時制御器がディスクトレイ出入動作のスピードを遅くする間と一致する。すなわち、この間の直前に、ディスクトレイ出入動作のスピードを変化させて遅くする。
【００５９】
本実施形態のディスクトレイの先端部（０２０２（Ａ））は、前記間においては、常に、筺体内に位置するように構成されている。すなわち、前記ディスクトレイ出入動作のスピードが変化する時点においては、ディスクトレイの先端部（０２０２（Ａ））は、筺体内に位置することとなる。その結果、ディスクトレイ出入動作のスピードが変化する時点においては、利用者は、筺体内に位置するディスクトレイを視認しにくい構成となっていている。
<実施形態２の効果>
【００６０】
本実施形態のディスク装置により、ディスクトレイを筺体から出入するために蓋を開閉する動作に伴う、部品の摩耗や不快な衝突音などをさらに軽減することができる。また、前記を実現する機能により、高級感を演出することもできる。さらに、前記を実現することにより生じ得る「ディスクトレイのぎこちない動き」に伴う問題点をも解決することができる。
【図面の簡単な説明】
【００６１】
【図１】従来技術のディスク装置の蓋開閉機構を説明するための概略図
【図２】本発明のディスク装置の蓋開閉機構を説明するための概略図
【図３】ディスク装置の外観概略図
【符号の説明】
【００６２】
０２０１    蓋
０２０２    ディスクトレイ
０２０３    筺体
０２０４    蓋回転軸
０２０５    ドライブユニット
０２０６    駆動リンク
０２０７    伝達リンク
０２０８    リンク回転軸
０２０９    バネ
【図１】
2009238348.tif 000003
【図２】
2009238348.tif 000004
【図３】
2009238348.tif 000005